(57)【要約】      （修正有）【課題】サービスの種別や通信端末装置の使用者の状況に応じてサービス提供サーバの識別子を払い出すことができる中継装置、ＤＮＳサーバ及びそれらを備えた通信システム並びにＤＮＳサーバの通信用プログラム及び中継装置の通信用プログラムを提供する。【解決手段】通信システムは、サービス提供サーバ情報管理ＤＢ３ａと、サービス要求受付部３ｂと、サービス提供サーバ情報取得部３ｃと、サーバ識別子割当要求部３ｄとを備えた中継装置３と、サーバ識別子割当要求受付部５ａと、サーバ識別子割当部５ｂと、サーバ識別子送信部５ｃと、データテーブル格納ＤＢ５ｄとを備えたＤＮＳサーバ５とを有している。【選択図】図２
2014241562.tif 000002
【特許請求の範囲】
【請求項１】
通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを管理するデータテーブル管理部と、
前記サービスの提供を受ける対象であるサービス対象通信端末装置の端末識別情報である対象端末識別情報と、前記サービス対象通信端末装置にサービスを提供する対象である対象サービス提供サーバの前記サーバ所在地情報及び前記サーバ識別子である対象サーバ所在地情報及び対象サーバ識別子とを含み、前記対象サーバ所在地情報と同一のサーバ所在地情報であって前記データテーブル内で前記対象端末識別情報と同一の端末識別情報に対応付けられたサーバ所在地情報が指し示すサーバ識別子に、前記対象サーバ識別子を割り当てることを要求する割当要求信号を、通信ネットワークを構成するネットワーク構成要素から受け付けるサーバ識別子割当要求受付部と、
前記サーバ識別子割当要求受付部が受け付けた前記割当要求信号に含まれた前記対象端末識別情報及び前記対象サーバ所在地情報と同一の端末識別情報及び同一のサーバ所在地情報が前記データテーブル内で対応付けられている場合に、該同一のサーバ所在地情報が指し示すサーバ識別子に、該割当要求信号に含まれた前記対象サーバ識別子を割り当てるサーバ識別子割当部と、
前記対象端末識別情報及び前記対象サーバ所在地情報を含み、前記サービス対象通信端末装置からのサーバ識別子の取得要求に対して、前記サーバ識別子割当部が前記同一のサーバ所在地情報が指し示すサーバ識別子に割り当てた前記対象サーバ識別子を前記サービス対象通信端末装置に送信するサーバ識別子送信部と
を有することを特徴とするＤＮＳサーバ。
【請求項２】
前記データテーブル管理部は、前記サーバ識別子に前記対象サーバ識別子を割り当てた後に別のサーバ識別子を割り当てるまでの期間である割当継続期間を前記端末識別情報及び前記サーバ所在地情報に対応付けて前記データテーブルで管理していること
を特徴とする請求項１記載のＤＮＳサーバ。
【請求項３】
サービスの種別と、通信ネットワークにおける前記サービスを提供するサービス提供サーバの所在地情報であるサーバ所在地情報と、前記サービス提供サーバの識別子であるサーバ識別子とを対応付けて管理するサービス提供サーバ情報管理部と、
前記サービスの種別と、前記サービスの提供を受ける対象であるサービス対象通信端末装置の端末識別情報である対象端末識別情報とを含むサービス要求を、通信ネットワークに接続された外部装置から受け付けるサービス要求受付部と、
前記サービス要求に含まれた前記サービスの種別と同一のサービスの種別に対応付けられて前記サービス提供サーバ情報管理部で管理されたサーバ所在地情報及びサーバ識別子を、前記サービス対象通信端末装置にサービスを提供する対象である対象サービス提供サーバの前記サーバ所在地情報及び前記サーバ識別子である対象サーバ所在地情報及び対象サーバ識別子として前記サービス提供サーバ情報管理部から取得するサービス提供サーバ情報取得部と、
通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを備えたＤＮＳサーバに対し、前記サービス提供サーバ情報取得部が取得した前記対象サーバ所在地情報と同一であって前記データテーブル内で前記対象端末識別情報と同一の端末識別情報に対応付けられたサーバ所在地情報が指し示すサーバ識別子に、前記サービス提供サーバ情報取得部が取得した前記対象サーバ識別子を割り当てることを前記ＤＮＳサーバに要求するサーバ識別子割当要求部と
を有することを特徴とする中継装置。
【請求項４】
前記サービス提供サーバ情報管理部は、前記サーバ識別子に前記対象サーバ識別子を割り当てた後に別のサーバ識別子を割り当てるまでの期間である割当継続期間を前記サービスの種別及び前記サーバ所在地情報に対応付けて管理しており、
前記サーバ識別子割当要求部は、前記ＤＮＳサーバに対し、前記割当継続期間を含めて前記対象サーバ識別子の割り当てを要求すること
を特徴とする請求項３記載の中継装置。
【請求項５】
ＤＮＳサーバと中継装置とを備えた通信システムであって、
前記ＤＮＳサーバは、
通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを管理するデータテーブル管理部と、
前記サービスの提供を受ける対象であるサービス対象通信端末装置の端末識別情報である対象端末識別情報と、前記サービス対象通信端末装置にサービスを提供する対象である対象サービス提供サーバの前記サーバ所在地情報及び前記サーバ識別子である対象サーバ所在地情報及び対象サーバ識別子とを含み、前記対象サーバ所在地情報と同一のサーバ所在地情報であって前記データテーブル内で前記対象端末識別情報と同一の端末識別情報に対応付けられたサーバ所在地情報が指し示すサーバ識別子に、前記対象サーバ識別子を割り当てることを要求する割当要求信号を、前記中継装置から受け付けるサーバ識別子割当要求受付部と、
前記サーバ識別子割当要求受付部が受け付けた前記割当要求信号に含まれた前記対象端末識別情報及び前記対象サーバ所在地情報と同一の端末識別情報及び同一のサーバ所在地情報が前記データテーブル内で対応付けられている場合に、該同一のサーバ所在地情報が指し示すサーバ識別子に、該割当要求信号に含まれた前記対象サーバ識別子を割り当てるサーバ識別子割当部と、
前記対象端末識別情報及び前記対象サーバ所在地情報を含み、前記サービス対象通信端末装置からのサーバ識別子の取得要求に対して、前記サーバ識別子割当部が前記同一のサーバ所在地情報が指し示すサーバ識別子に割り当てた前記対象サーバ識別子を前記サービス対象通信端末装置に送信するサーバ識別子送信部と
を有し、
前記中継装置は、
サービスの種別と、通信ネットワークにおける前記サービスを提供するサービス提供サーバの所在地情報であるサーバ所在地情報と、前記サービス提供サーバの識別子であるサーバ識別子とを対応付けて管理するサービス提供サーバ情報管理部と、
前記サービスの種別と、前記サービスの提供を受ける対象であるサービス対象通信端末装置の端末識別情報である対象端末識別情報とを含むサービス要求を、通信ネットワークに接続された外部装置から受け付けるサービス要求受付部と、
前記サービス要求に含まれた前記サービスの種別と同一のサービスの種別に対応付けられて前記サービス提供サーバ情報管理部で管理されたサーバ所在地情報及びサーバ識別子を、前記サービス対象通信端末装置にサービスを提供する対象である対象サービス提供サーバの前記サーバ所在地情報及び前記サーバ識別子である対象サーバ所在地情報及び対象サーバ識別子として前記サーバアドレス管理部から取得するサービス提供サーバ情報取得部と、
通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを備えたＤＮＳサーバに対し、前記サービス提供サーバ情報取得部が取得した前記対象サーバ所在地情報と同一であって前記データテーブル内で前記対象端末識別情報と同一の端末識別情報に対応付けられたサーバ所在地情報が指し示すサーバ識別子に、前記サービス提供サーバ情報取得部が取得した前記対象サーバ識別子を割り当てることを前記ＤＮＳサーバに要求するサーバ識別子割当要求部と
を有すること
を特徴とする通信システム。
【請求項６】
コンピュータを、
通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを管理するデータテーブル管理部、
前記サービスの提供を受ける対象であるサービス対象通信端末装置の端末識別情報である対象端末識別情報と、前記サービス対象通信端末装置にサービスを提供する対象である対象サービス提供サーバの前記サーバ所在地情報及び前記サーバ識別子である対象サーバ所在地情報及び対象サーバ識別子とを含み、前記対象サーバ所在地情報と同一のサーバ所在地情報であって前記データテーブル内で前記対象端末識別情報と同一の端末識別情報に対応付けられたサーバ所在地情報が指し示すサーバ識別子に、前記対象サーバ識別子を割り当てることを要求する割当要求信号を、通信ネットワークを構成するネットワーク構成要素から受け付けるサーバ識別子割当要求受付部、
前記サーバ識別子割当要求受付部が受け付けた前記割当要求信号に含まれた前記対象端末識別情報及び前記対象サーバ所在地情報と同一の端末識別情報及び同一のサーバ所在地情報が前記データテーブル内で対応付けられている場合に、該同一のサーバ所在地情報が指し示すサーバ識別子に、該割当要求信号に含まれた前記対象サーバ識別子を割り当てるサーバ識別子割当部、及び、
前記対象端末識別情報及び前記対象サーバ所在地情報を含み、前記サービス対象通信端末装置からのサーバ識別子の取得要求に対して、前記サーバ識別子割当部が前記同一のサーバ所在地情報が指し示すサーバ識別子に割り当てた前記対象サーバ識別子を前記サービス対象通信端末装置に送信するサーバ識別子送信部として機能させること
を特徴とするＤＮＳサーバの通信用プログラム。
【請求項７】
コンピュータを、
サービスの種別と、通信ネットワークにおける前記サービスを提供するサービス提供サーバの所在地情報であるサーバ所在地情報と、前記サービス提供サーバの識別子であるサーバ識別子とを対応付けて管理するサービス提供サーバ情報管理部、
前記サービスの種別と、前記サービスの提供を受ける対象であるサービス対象通信端末装置の端末識別情報である対象端末識別情報とを含むサービス要求を、通信ネットワークに接続された外部装置から受け付けるサービス要求受付部と、
前記サービス要求に含まれた前記サービスの種別と同一のサービスの種別に対応付けられて前記サービス提供サーバ情報管理部で管理されたサーバ所在地情報及びサーバ識別子を、前記サービス対象通信端末装置にサービスを提供する対象である対象サービス提供サーバの前記サーバ所在地情報及び前記サーバ識別子である対象サーバ所在地情報及び対象サーバ識別子として前記サービス提供サーバ情報管理部から取得するサービス提供サーバ情報取得部、及び、
通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを備えたＤＮＳサーバに対し、前記サービス提供サーバ情報取得部が取得した前記対象サーバ所在地情報と同一であって前記データテーブル内で前記対象端末識別情報と同一の端末識別情報に対応付けられたサーバ所在地情報が指し示すサーバ識別子に、前記サービス提供サーバ情報取得部が取得した前記対象サーバ識別子を割り当てることを前記ＤＮＳサーバに要求するサーバ識別子割当要求部として機能させること
を特徴とする中継装置の通信用プログラム。
【発明の詳細な説明】
【技術分野】
【０００１】
本発明は、中継装置、ＤＮＳ（Ｄｏｍａｉｎ  Ｎａｍｅ  Ｓｅｒｖｉｃｅ）サーバ及びそれらを備えた通信システム並びにＤＮＳサーバの通信用プログラム及び中継装置の通信用プログラムに関する。
【背景技術】
【０００２】
完全修飾ドメイン（ＦＱＤＮ：Ｆｕｌｌｙ  Ｑｕａｌｉｆｉｅｄ  Ｄｏｍａｉｎ  Ｎａｍｅ）や統一資源位置指定子（ＵＲＬ：Ｕｎｉｆｏｒｍ  Ｒｅｓｏｕｒｃｅ  Ｌｏｃａｔｏｒ）をＩＰ（Ｉｎｔｅｒｎｅｔ  Ｐｒｏｔｏｃｏｌ）アドレスに変換するＤＮＳ技術はインターネットの世界において必要不可欠な技術となっている。また、従来、ＤＮＳ技術において、負荷分散を目的とした同一ＦＱＤＮ又はＵＲＬを予め定めたＩＰアドレスプールから名前解決（以下、「ＤＮＳ解決」と称する場合がある）する手法は一般的に知られている。１つのＦＱＤＮ又はＵＲＬから予め定められた複数のＩＰアドレスを名前解決することは実現可能である。
特許文献１には、ＤＮＳ技術が開示されている。また、特許文献２及び３には、負荷分散技術が開示されている。
【０００３】
ところで、サービス提供装置からＩＰプッシュやショートメッセージ（ＳＭＳ：Ｓｈｏｒｔ  Ｍｅｓｓａｇｅ  Ｓｅｒｖｉｃｅ）プッシュで移動通信端末装置の特定アプリケーションを起動し、当該アプリケーションがサービス提供サーバと通信してサービスを受けるような利用方法が多機能携帯電話（スマートフォン）では利用されている。その際に、移動通信端末装置が通信するサービス提供サーバは、移動通信端末装置に予め組み込まれているＦＱＤＮ又はＵＲＬのサービス提供サーバである。当該ＦＱＤＮ又はＵＲＬは、移動通信端末装置の使用者であるユーザが操作できない場合が多い。
当該サービスの一例として、ＳＵＰＬ（Ｓｅｃｕｒｅ  Ｕｓｅｒ  Ｐｌａｎｅ  Ｌｏｃａｔｉｏｎｓ）などの移動通信特有のアプリケーションサービスがある。ＳＵＰＬサービスでは、移動通信端末装置のチップ内部に予め設定され、ユーザが自ら変更できない１つのＦＱＤＮ又はＵＲＬが利用される。
【先行技術文献】
【特許文献】
【０００４】
【特許文献１】特開２００７−２５９４０８号公報
【特許文献２】特開２０１２−９０１９４号公報
【特許文献３】特開平１１−３３１２５６号公報
【発明の概要】
【発明が解決しようとする課題】
【０００５】
１つのＦＱＤＮやＵＲＬなどからサービスの種別やユーザの状況に合わせてサービス提供サーバのＩＰアドレスから名前解決する方法は存在しない。このため、現状のＤＮＳサーバの仕組み、かつ通信端末装置のチップ内部にＦＱＤＮやＵＲＬが変更できない態様で埋め込まれている状況においては、一のサービスは一のサーバへ接続して、他のサービスは他のサーバへ接続するといったことは実現できないという問題がある。
本発明の目的は、サービスの種別や通信端末装置の使用者の状況に応じてサービス提供サーバの識別子を得ることができる中継装置、ＤＮＳサーバ及びそれらを備えた通信システム並びにＤＮＳサーバの通信用プログラム及び中継装置の通信用プログラムを提供することにある。
【課題を解決するための手段】
【０００６】
上記問題を解決するために、本発明の一態様によるＤＮＳサーバは、通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを管理するデータテーブル管理部と、前記サービスの提供を受ける対象であるサービス対象通信端末装置の端末識別情報である対象端末識別情報と、前記サービス対象通信端末装置にサービスを提供する対象である対象サービス提供サーバの前記サーバ所在地情報及び前記サーバ識別子である対象サーバ所在地情報及び対象サーバ識別子とを含み、前記対象サーバ所在地情報と同一のサーバ所在地情報であって前記データテーブル内で前記対象端末識別情報と同一の端末識別情報に対応付けられたサーバ所在地情報が指し示すサーバ識別子に、前記対象サーバ識別子を割り当てることを要求する割当要求信号を、通信ネットワークを構成するネットワーク構成要素から受け付けるサーバ識別子割当要求受付部と、前記サーバ識別子割当要求受付部が受け付けた前記割当要求信号に含まれた前記対象端末識別情報及び前記対象サーバ所在地情報と同一の端末識別情報及び同一のサーバ所在地情報が前記データテーブル内で対応付けられている場合に、該同一のサーバ所在地情報が指し示すサーバ識別子に、該割当要求信号に含まれた前記対象サーバ識別子を割り当てるサーバ識別子割当部と、前記対象端末識別情報及び前記対象サーバ所在地情報を含み、前記サービス対象通信端末装置からのサーバ識別子の取得要求に対して、前記サーバ識別子割当部が前記同一の所在地情報が指し示すサーバ識別子に割り当てた前記対象サーバ識別子を前記サービス対象通信端末装置に送信するサーバ識別子送信部とを有することを特徴とする。
このような構成によれば、サービスの種別や通信端末装置の使用者の状況に応じてサービス提供サーバの識別子を得ることができる。
【０００７】
前記データテーブル管理部は、前記サーバ識別子に前記対象サーバ識別子を割り当てた後に別のサーバ識別子を割り当てるまでの期間である割当継続期間を前記端末識別情報及び前記サーバ所在地情報に対応付けて前記データテーブルで管理し得る。
このような構成によれば、サーバ識別子を所定の期間だけ割り当てる（書き換える）ことができる。
【０００８】
上記問題を解決するために、本発明の一態様による中継装置は、サービスの種別と、通信ネットワークにおける前記サービスを提供するサービス提供サーバの所在地情報であるサーバ所在地情報と、前記サービス提供サーバの識別子であるサーバ識別子とを対応付けて管理するサービス提供サーバ情報管理部と、前記サービスの種別と、前記サービスの提供を受ける対象であるサービス対象通信端末装置の端末識別情報である対象端末識別情報とを含むサービス要求を、通信ネットワークに接続された外部装置から受け付けるサービス要求受付部と、前記サービス要求に含まれた前記サービスの種別と同一のサービスの種別に対応付けられて前記サービス提供サーバ情報管理部で管理されたサーバ所在地情報及びサーバ識別子を、前記サービス対象通信端末装置にサービスを提供する対象である対象サービス提供サーバの前記サーバ所在地情報及び前記サーバ識別子である対象サーバ所在地情報及び対象サーバ識別子として前記サービス提供サーバ情報管理部から取得するサービス提供サーバ情報取得部と、通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを備えたＤＮＳサーバに対し、前記サービス提供サーバ情報取得部が取得した前記対象サーバ所在地情報と同一であって前記データテーブル内で前記対象端末識別情報と同一の端末識別情報に対応付けられたサーバ所在地情報が指し示すサーバ識別子に、前記サービス提供サーバ情報取得部が取得した前記対象サーバ識別子を割り当てることを前記ＤＮＳサーバに要求するサーバ識別子割当要求部とを有することを特徴とする。
このような構成によれば、サービスの種別や通信端末装置の使用者の状況に応じてサービス提供サーバの識別子を得ることができる。
【０００９】
前記サービス提供サーバ情報管理部は、前記サーバ識別子に前記対象サーバ識別子を割り当てた後に別のサーバ識別子を割り当てるまでの期間である割当継続期間を前記サービスの種別及び前記サーバ所在地情報に対応付けて管理し得る。前記サーバ識別子割当要求部は、前記ＤＮＳサーバに対し、前記割当継続期間を含めて前記対象サーバ識別子の割り当てを要求し得る。
このような構成によれば、サーバ識別子を所定の期間だけ割り当てる（書き換える）ことができる。
【００１０】
上記問題を解決するために、本発明の一態様による通信システムは、ＤＮＳサーバと中継装置とを備えた通信システムであって、前記ＤＮＳサーバは、通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを管理するデータテーブル管理部と、前記サービスの提供を受ける対象であるサービス対象通信端末装置の端末識別情報である対象端末識別情報と、前記サービス対象通信端末装置にサービスを提供する対象である対象サービス提供サーバの前記サーバ所在地情報及び前記サーバ識別子である対象サーバ所在地情報及び対象サーバ識別子とを含み、前記対象サーバ所在地情報と同一のサーバ所在地情報であって前記データテーブル内で前記対象端末識別情報と同一の端末識別情報に対応付けられたサーバ所在地情報が指し示すサーバ識別子に、前記対象サーバ識別子を割り当てることを要求する割当要求信号を、前記中継装置から受け付けるサーバ識別子割当要求受付部と、前記サーバ識別子割当要求受付部が受け付けた前記割当要求信号に含まれた前記対象端末識別情報及び前記対象サーバ所在地情報と同一の端末識別情報及び同一のサーバ所在地情報が前記データテーブル内で対応付けられている場合に、該同一のサーバ所在地情報が指し示すサーバ識別子に、該割当要求信号に含まれた前記対象サーバ識別子を割り当てるサーバ識別子割当部と、前記対象端末識別情報及び前記対象サーバ所在地情報を含み、前記サービス対象通信端末装置からのサーバ識別子の取得要求に対して、前記サーバ識別子割当部が前記同一のサーバ所在地情報が指し示すサーバ識別子に割り当てた前記対象サーバ識別子を前記サービス対象通信端末装置に送信するサーバ識別子送信部とを有し、前記中継装置は、サービスの種別と、通信ネットワークにおける前記サービスを提供するサービス提供サーバの所在地情報であるサーバ所在地情報と、前記サービス提供サーバの識別子であるサーバ識別子とを対応付けて管理するサービス提供サーバ情報管理部と、前記サービスの種別と、前記サービスの提供を受ける対象であるサービス対象通信端末装置の端末識別情報である対象端末識別情報とを含むサービス要求を、通信ネットワークに接続された外部装置から受け付けるサービス要求受付部と、前記サービス要求に含まれた前記サービスの種別と同一のサービスの種別に対応付けられて前記サービス提供サーバ情報管理部で管理されたサーバ所在地情報及びサーバ識別子を、前記サービス対象通信端末装置にサービスを提供する対象である対象サービス提供サーバの前記サーバ所在地情報及び前記サーバ識別子である対象サーバ所在地情報及び対象サーバ識別子として前記サーバアドレス管理部から取得するサービス提供サーバ情報取得部と、通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを備えたＤＮＳサーバに対し、前記サービス提供サーバ情報取得部が取得した前記対象サーバ所在地情報と同一であって前記データテーブル内で前記対象端末識別情報と同一の端末識別情報に対応付けられたサーバ所在地情報が指し示すサーバ識別子に、前記サービス提供サーバ情報取得部が取得した前記対象サーバ識別子を割り当てることを前記ＤＮＳサーバに要求するサーバ識別子割当要求部とを有することを特徴とする。
このような構成によれば、サービスの種別や通信端末装置の使用者の状況に応じてサービス提供サーバの識別子を得ることができる。
【００１１】
上記問題を解決するために、本発明の一態様によるＤＮＳサーバの通信用プログラムは、コンピュータを、通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを管理するデータテーブル管理部、前記サービスの提供を受ける対象であるサービス対象通信端末装置の端末識別情報である対象端末識別情報と、前記サービス対象通信端末装置にサービスを提供する対象である対象サービス提供サーバの前記サーバ所在地情報及び前記サーバ識別子である対象サーバ所在地情報及び対象サーバ識別子とを含み、前記対象サーバ所在地情報と同一のサーバ所在地情報であって前記データテーブル内で前記対象端末識別情報と同一の端末識別情報に対応付けられたサーバ所在地情報が指し示すサーバ識別子に、前記対象サーバ識別子を割り当てることを要求する割当要求信号を、通信ネットワークを構成するネットワーク構成要素から受け付けるサーバ識別子割当要求受付部、前記サーバ識別子割当要求受付部が受け付けた前記割当要求信号に含まれた前記対象端末識別情報及び前記対象サーバ所在地情報と同一の端末識別情報及び同一のサーバ所在地情報が前記データテーブル内で対応付けられている場合に、該同一のサーバ所在地情報が指し示すサーバ識別子に、該割当要求信号に含まれた前記対象サーバ識別子を割り当てるサーバ識別子割当部、及び、前記対象端末識別情報及び前記対象サーバ所在地情報を含み、前記サービス対象通信端末装置からのサーバ識別子の取得要求に対して、前記サーバ識別子割当部が前記同一のサーバ所在地情報が指し示すサーバ識別子に割り当てた前記対象サーバ識別子を前記サービス対象通信端末装置に送信するサーバ識別子送信部として機能させることを特徴とする。
このような構成によれば、サービスの種別や通信端末装置の使用者の状況に応じてサービス提供サーバの識別子を得ることができる。
【００１２】
上記問題を解決するために、本発明の一態様による中継装置の通信用プログラムは、コンピュータを、サービスの種別と、通信ネットワークにおける前記サービスを提供するサービス提供サーバの所在地情報であるサーバ所在地情報と、前記サービス提供サーバの識別子であるサーバ識別子とを対応付けて管理するサービス提供サーバ情報管理部、前記サービスの種別と、前記サービスの提供を受ける対象であるサービス対象通信端末装置の端末識別情報である対象端末識別情報とを含むサービス要求を、通信ネットワークに接続された外部装置から受け付けるサービス要求受付部と、前記サービス要求に含まれた前記サービスの種別と同一のサービスの種別に対応付けられて前記サービス提供サーバ情報管理部で管理されたサーバ所在地情報及びサーバ識別子を、前記サービス対象通信端末装置にサービスを提供する対象である対象サービス提供サーバの前記サーバ所在地情報及び前記サーバ識別子である対象サーバ所在地情報及び対象サーバ識別子として前記サービス提供サーバ情報管理部から取得するサービス提供サーバ情報取得部、及び、通信端末装置の端末識別情報と、通信ネットワークにおけるサービスを提供するサービス提供サーバの所在地情報とを対応付けて格納し、かつ前記サーバ所在地情報が指し示す前記サービス提供サーバの識別子であるサーバ識別子を格納するデータテーブルを備えたＤＮＳサーバに対し、前記サービス提供サーバ情報取得部が取得した前記対象サーバ所在地情報と同一であって前記データテーブル内で前記対象端末識別情報と同一の端末識別情報に対応付けられたサーバ所在地情報が指し示すサーバ識別子に、前記サービス提供サーバ情報取得部が取得した前記対象サーバ識別子を割り当てることを前記ＤＮＳサーバに要求するサーバ識別子割当要求部として機能させることを特徴とする。
このような構成によれば、サービスの種別や通信端末装置の使用者の状況に応じてサービス提供サーバの識別子を得ることができる。
【発明の効果】
【００１３】
本発明によれば、サービスの種別や通信端末装置の使用者の状況に応じてサービス提供サーバの識別子を得ることができる。
【図面の簡単な説明】
【００１４】
【図１】本発明の一実施形態による通信システム１の概略構成を示すブロック図である。
【図２】本発明の一実施形態による中継装置３及びＤＮＳサーバ５の概略構成を示すブロック図である。
【図３】本発明の一実施形態による中継装置３に備えられたサービス提供情報管理ＤＢ３ａのデータベース構成の一例を示す図である。
【図４】本発明の一実施形態によるＤＮＳサーバ５に備えられたデータテーブル管理ＤＢ５ｄに格納されたデータテーブルの一例である。
【図５】従来の通信システムの問題点を説明する図（その１）である。
【図６】従来の通信システムの問題点を説明する図（その２）である。
【図７】本発明の一実施形態の実施例による中継装置としてのＧＭＬＣ及びＤＮＳサーバ及び通信システム１の概略構成を示すブロック図である。
【図８】本発明の一実施形態による中継装置としてのＧＭＬＣ１３に備えられたサービス提供情報管理ＤＢ３ａに格納されたデータテーブルの一例を示す図である。
【図９】本発明の一実施形態によるＤＮＳサーバ５に備えられたデータテーブル管理ＤＢ５ｄに格納されたデータテーブルの一例である。
【図１０】本発明の一実施形態の中継装置としてのＧＭＬＣ１３及びＤＮＳサーバ１５ａ及び通信システム１１の動作を説明するためのブロック図である。
【図１１】本発明の一実施形態の中継装置としてのＧＭＬＣ１３及びＤＮＳサーバ１５ａ及び通信システム１１の動作を説明するためのシーケンス図である。
【発明を実施するための形態】
【００１５】
（通信システム１の概略構成）
本発明の一実施形態による中継装置、ＤＮＳサーバ及びそれらを備えた通信システムについて、図１から図１１を用いて説明する。まず、本実施形態による通信システム１の概略構成について図１を用いて説明する。
図１は、本実施形態による通信システム１の概略構成を示すブロック図である。図１に示すように、本実施形態による通信システム１は、中継装置３と、ＤＮＳサーバ５と、通信端末装置７とを有している。
【００１６】
中継装置３は、通信端末装置７と、不図示の通信サービス事業者との通信を中継する装置である。中継装置３は、ＤＮＳサーバ５から見ると、通信ネットワーク９に接続された外部装置に相当する。詳細は後述するが、中継装置３は、通信ネットワークにおけるサービスを提供するサービス提供サーバの所在地情報であるサーバ所在地情報が同一であっても通信サービス事業者のサービスの種別に応じて異なるサーバ識別子を取得できるようになっている。ここで、サーバの所在地情報は、例えばサービス提供サーバのドメイン名を含む。ドメイン名を含む所在地情報は、例えばＦＱＤＮやＵＲＬなどである。サーバ識別子は、サービスを提供するサービス提供サーバの識別子である。サーバ識別子は、例えばサービスを提供するサービス提供サーバのＩＰアドレスである。さらに、中継装置３は、取得したサーバ識別子を含む、識別子の割当要求をＤＮＳサーバ５に送信するようになっている。
【００１７】
ＤＮＳサーバ５は、例えば通信端末装置７からのＤＮＳ解決要求に対し、ＤＮＳ解決を実行してサーバ識別子（例えばＩＰアドレス）を通信端末装置７に送信するようになっている。詳細は後述するが、ＤＮＳサーバ５は、中継装置３からのサーバ識別子の割当要求を受け付けると、当該割当要求に含まれたサーバ所在地情報と同一のサーバ所在地情報が指し示すサーバ識別子に、当該割当要求に含まれたサーバ識別子を割り当てるようになっている。さらに、ＤＮＳサーバ５は、当該識別情報を有する通信端末装置からの当該サーバ所在地情報のＤＮＳ解決に応答して、割り当てたサーバ識別子を当該通信端末装置に送信するようになっている。
【００１８】
通信端末装置７は、例えば移動通信端末装置やパーソナルコンピュータなどである。通信端末装置７は、通信ネットワーク９を介して例えばＦＱＤＮをＤＮＳサーバ５に送信してＤＮＳ解決要求を実行し、当該ＤＮＳ解決要求応答に含まれたサーバ識別子のサービス提供サーバに接続要求を実行するようになっている。
通信ネットワーク９は、例えばインターネットやＥＰＣ（Ｅｖｏｌｖｅｄ  Ｐａｃｋｅｔ  Ｃｏｒｅ）コアネットワークなどである。
【００１９】
本実施形態による通信システム１は、中継装置３がＤＮＳサーバ３に対してサービスの種別やユーザの状況に応じたサーバ識別子の割当要求を実行し、ＤＮＳサーバ３が当該割当要求に応答して、所定の通信端末装置の識別情報及びサーバ所在地情報に対応付けられたサーバ識別子に、割当要求に含まれたサーバ識別子を割り当る。ＤＮＳサーバ３は、当該所定の通信端末装置から送信された当該サーバ所在地情報のＤＮＳ解決に応答して割り当てたサーバ識別子を当該所定の通信端末装置に送信するようになっている。
【００２０】
（中継装置３の概略構成）
次に、本実施形態による中継装置３及びＤＮＳサーバ５の概略構成について図２から図４を用いて説明する。図２は、中継装置３及びＤＮＳサーバ５の概略構成を示すブロック図である。まず、中継装置３の概略構成について説明する。
図２に示すように、中継装置３は、サービス提供サーバ情報管理データベース（サービス提供サーバ情報管理部の一例）３ａと、サービス要求受付部３ｂと、サービス提供サーバ情報取得部３ｃと、サーバ識別子割当要求部３ｄとを有している。サービス提供サーバ情報管理データベース（以下、データベースを「ＤＢ」と略記する場合がある）３ａと、サービス要求受付部３ｂと、サービス提供サーバ情報取得部３ｃと、サーバ識別子割当要求部３ｄとは、物理的に別の装置としてそれぞれ実現されていてもよいし、中継装置３の一機能としてそれぞれ実現されていてもよい。
【００２１】
サービス提供サーバ情報管理ＤＢ３ａは、サービスの種別と、当該サービスを提供するサービス提供サーバのサーバ所在地情報と、当該サービス提供サーバのサーバ識別子とを対応付けて管理するデータベースである。
図３は、サービス提供サーバ情報管理部ＤＢ３ａのデータベース構成の一例を示している。図３に示すように、当該データベース構成は、「サービス識別」、「サーバ所在地情報」及び「サーバ識別子」の３個の項目に分類されている。「サービス識別」は、サービスの種別を示している。「サービス識別」欄には、サービスの種別が格納される。本例では、「サービス識別」欄には、サービスの種別として、「緊急呼」、「自己位置確認」及び「第三者位置確認」が格納されている。なお、「サービス識別」欄に示された「・・・」は、何らかのサービス種別が格納されていることを表している。
【００２２】
「サーバ所在地情報」は、通信ネットワークにおけるサービスを提供するサービス提供サーバの所在地情報を示している。すなわち、「サーバ所在地情報」は、通信ネットワーク上の所在地情報であってサービス提供サーバの所在地情報である。「サーバ所在地情報」は、サービス提供サーバのドメイン名を含んでいてもよい。本例では、「サーバ所在地情報」欄には、サーバ所在地情報としてＦＱＤＮ「Ｓｕｐｌ．ｃｏｍ」が格納されている。なお、図３では、ＦＱＤＮのホスト名は省略されている。「サーバ所在地情報」欄に格納される情報は、ＦＱＤＮの他に例えばＵＲＬ、ＩＤあるいはサーバ番号などの通信ネットワークにおけるサービス提供サーバの所在地を識別できる情報であればよい。なお、「サーバ所在地情報」欄に示された「・・・」は、何らかのサーバ所在地情報が格納されていることを表している。
【００２３】
「サーバ識別子」は、サービスを提供するサービス提供サーバの識別子を示している。本例では、「サーバ識別子」欄には、例えばＩＰアドレスが格納され、ＩＰアドレス「１２９．１２８．３１．２８」、「１２９．１２８．３１．２９」及び「１２９．１２８．３１．３０」が格納されている。なお、「サーバ識別子」欄に示された「・・・」は、何らかのサーバ識別子が格納されていることを表している。
【００２４】
サービス提供サーバ情報管理部ＤＢ３ａの同一行に格納されたそれぞれの構成は対応付けられる。本例では、項目行を除く第１行目にそれぞれ格納された、「サービス識別」欄の「緊急呼」と、「サーバ所在地情報」欄の「Ｓｕｐｌ．ｃｏｍ」と、「サーバ識別子」欄の「１２９．１２８．３１．２８」とが対応付けられる。同様に、項目行を除く第２行目にそれぞれ格納された、「サービス識別」欄の「自己位置確認」と、「サーバ所在地情報」欄の「Ｓｕｐｌ．ｃｏｍ」と、「サーバ識別子」欄の「１２９．１２８．３１．２９」とが対応付けられる。同様に、項目行を除く第３行目にそれぞれ格納された、「サービス識別」欄の「第三者位置確認」と、「サーバ所在地情報」欄の「Ｓｕｐｌ．ｃｏｍ」と、「サーバ識別子」欄の「１２９．１２８．３１．３０」とが対応付けられる。
【００２５】
本実施形態におけるサービス提供サーバ情報管理部ＤＢ３ａでは、一のサーバ所在地情報に複数のサービス種別及び複数のサーバ識別子が対応付けられている。例えば本例では、サーバ所在地情報「Ｓｕｐｌ．ｃｏｍ」に、３種類のサービス識別「緊急呼」、「自己位置確認」及び「第三者位置確認」と、３個のサーバＩＰアドレス「１２９．１２８．３１．２８」、「１２９．１２８．３１．２９」及び「１２９．１２８．３１．３０」が対応付けられている。ここで、「サーバＩＰアドレス」は、サービス提供サーバのＩＰアドレスである。これにより、本実施形態による中継装置３は、サーバ所在地情報が同一であっても、サービスの種別に応じて異なるサーバ識別子の割当要求ができるようになる（詳細は後述する）。
【００２６】
図２に戻って、サービス要求受付部３ｂは、サービスの種別と、サービスの提供を受ける対象であるサービス対象通信端末装置の端末識別情報である対象端末識別情報とを含むサービス要求を通信サービス事業者から受け付けるようになっている。当該サービスの種別は、図３に示すサービス提供サーバ情報管理部ＤＢ３ａの「サービス識別」に対応する。通信サービス事業者は、例えばＬＣＳ（ＬｏＣａｔｉｏｎ  Ｓｅｒｖｉｃｅ）−Ｃｌｉｅｎｔ（緊急通報機関）などが該当する。通信サービス事業者が当該サービス要求に使用する所定の装置は、中継装置３から見ると、通信ネットワークに接続された外部装置に相当する。端末識別情報は、通信端末装置を識別可能な情報であって、例えば端末識別子やユーザＩＰアドレスである。ここで、ユーザＩＰアドレスは通信端末毎に付与されるＩＰアドレスである。
【００２７】
サービス提供サーバ情報取得部３ｃは、通信サービス事業者から送信されたサービス要求に含まれたサービスの種別と同一のサービスの種別に、サービス提供情報管理ＤＢ３ａにおいて対応付けられているサーバ所在地情報及びサーバ識別子をサービス提供情報管理ＤＢ３ａから取得するようになっている。サービス提供サーバ情報取得部３ｃがサービス提供情報管理ＤＢ３ａから取得したサーバ所在地情報及びサーバ識別子は、対象サーバ所在地情報及び対象サーバ識別子となる。対象サーバ所在地情報は、サービスの提供を受ける対象であるサービス対象通信端末装置に、サービスを提供する対象である対象サービス提供サーバのサーバ所在地情報である。また、対象サーバ識別子は、当該対象サービス提供サーバのサーバ識別子である。サービス提供サーバ情報取得部３ｃは、当該サービス要求からサービスの種別を取得して、サービス提供情報管理ＤＢ３ａを参照する。サービス提供サーバ情報取得部３ｃは、サービス提供情報管理ＤＢ３ａの「サービス識別」欄に格納され、取得したサービスの種別に一致するサービス種別に対応付けられているサーバ所在地情報及びサーバ識別子を取得する。例えば、通信サービス事業者から送信されたサービス要求に「緊急呼」を示す情報が含まれていた場合には、サービス提供サーバ情報取得部３ｃは、当該サービス要求から「緊急呼」を示す情報を取得するとともに、サービスの種別が「緊急呼」であると判定する。さらに、サービス提供サーバ情報取得部３ｃは、サービス提供情報管理ＤＢ３ａを参照して、「サービス識別」欄の「緊急呼」に対応付けられている「サーバ所在地情報」欄の「Ｓｕｐｌ．ｃｏｍ」及び「サーバ識別子」欄の「１２９．１２８．３１．２８」を取得する。本例では、サービス提供サーバ情報取得部３ｃが取得した「Ｓｕｐｌ．ｃｏｍ」が対象サーバ所在地情報となり、「１２９．１２８．３１．２８」が対象サーバ識別子となる。
【００２８】
サーバ識別子割当要求部３ｄは、サービス提供サーバ情報取得部３ｃが取得した対象サーバ所在地情報と同一であって所定のデータベースに格納されたサーバ所在地情報が指し示すサーバ識別子に、サービス提供サーバ情報取得部３ｃが取得した対象サーバ識別子を割り当てることをＤＮＳサーバ５に要求するようになっている。当該所定のデータベースは、ＤＮＳサーバ５に設けられたデータテーブル管理部ＤＢ５ｄで管理しているデータベース（詳細は後述）である。割当要求の対象のサーバ識別子を指し示すサーバ所在地情報は、当該データベース内でサービス対象通信端末装置の対象端末識別情報と同一の端末識別情報に対応付けられている。例えば、サービス提供サーバ情報取得部３ｃが対象サーバ所在地情報として「Ｓｕｐｌ．ｃｏｍ」を取得し、対象サーバ識別子としてサーバＩＰアドレス「１２９．１２８．３１．２８」を取得したとする。この場合、サーバ識別子割当要求部３ｄは、サービス対象通信端末装置の対象端末識別情報と同一の端末識別情報に対応付けられたサーバ所在地情報「Ｓｕｐｌ．ｃｏｍ」が指し示すサーバ識別子に例えば対象サーバ識別子のサーバＩＰアドレス「１２９．１２８．３１．２８」を割り当てることを要求する割当要求信号をＤＮＳサーバ５に送信する。なお、サーバ識別子の割り当てについては後述する。
【００２９】
（ＤＮＳサーバ５の概略構成）
次に、ＤＮＳサーバ５の概略構成について図２及び図４を用いて説明する。図２に示すように、ＤＮＳサーバ５は、サーバ識別子割当要求受付部５ａと、サーバ識別子割当部５ｂと、サーバ識別子送信部５ｃと、データテーブル管理ＤＢ（データテーブル管理部の一例）５ｄとを有している。サーバ識別子割当要求受付部５ａと、サーバ識別子割当部５ｂと、サーバ識別子送信部５ｃと、データテーブル管理ＤＢ５ｄとは、物理的に別の装置としてそれぞれ実現されていてもよいし、ＤＮＳサーバ５の一機能としてそれぞれ実現されていてもよい。
【００３０】
サーバ識別子割当要求受付部５ａは、中継装置３に設けられたサーバ識別子割当要求部３ｄから送信された割当要求信号を受け付けるようになっている。当該割当要求信号は、中継装置３に設けられたサービス提供サーバ情報取得部３ｃが取得した対象サービス提供サーバの対象サーバ所在地情報及び対象サーバ識別子を含んで中継装置（通信ネットワークに接続された外部装置の一例）３から送信される。また、当該割当要求信号には、対象サーバ所在地情報と同一のサーバ所在地情報であってデータテーブル管理ＤＢ５ｄのデータテーブル（詳細は後述）内でサービス対象通信端末装置の対象端末識別情報と同一の端末識別情報に対応付けられたサーバ所在地情報が指し示すサーバ識別子に、中継装置３から送信された対象サーバ識別子を割り当てることの要求が含まれている。
【００３１】
図４は、データテーブル管理部ＤＢ５ｄで管理しているデータテーブルの一例を示している。図４に示すように、当該データテーブルは、「ユーザ識別」、「サーバ所在地情報」及び「サーバ識別子」の３個の項目に分類されている。「ユーザ識別」は、通信端末装置の使用者を示している。「ユーザ識別」欄には、通信端末装置の使用者を識別可能な情報、すなわち通信端末装置の端末識別情報（例えば端末識別子やユーザＩＰアドレス）が格納される。本例では、「ユーザ識別」欄には、端末識別情報として、「ユーザＡ」、「ユーザＢ」及び「ユーザＣ」が格納されている。
【００３２】
「サーバ所在地情報」は、通信端末装置から送信されるＤＮＳ解決要求に含まれるサーバ所在地情報を示している。「サーバ所在地情報」欄には、「ユーザ識別」欄に格納された通信端末装置の端末識別情報毎に対応付けてサーバ所在地情報が格納される。本例では、「サーバ所在地情報」欄には、「ユーザ識別」欄に格納された「ユーザＡ」、「ユーザＢ」及び「ユーザＣ」のそれぞれに対応付けてサーバ所在地情報としてＦＱＤＮ「Ｓｕｐｌ．ｃｏｍ」が格納されている。図４では、ＦＱＤＮのホスト名は省略されている。「サーバ所在地情報」欄に格納される情報は、ＦＱＤＮの他に例えばＵＲＬなどの通信ネットワークにおけるサービス提供サーバの所在地を識別できる情報であればよい。なお、「サーバ所在地情報」欄に示された「・・・」は、何らかのサーバ所在地情報が格納されていることを表している。「サーバ所在地情報」欄に格納されるサーバ所在地情報は、「ユーザ識別」欄に格納された全ての通信端末装置の端末識別情報で必ずしも共通しているとは限られない。
【００３３】
「サーバ識別子」は、対象サーバ識別子の割当対象のサーバ識別子を示している。サーバ識別子割当要求受付部５ａが割当要求信号を受け付けるまでは、「サーバ識別子」欄には、例えば「サーバ所在地情報」に対応するデフォルトのサーバ識別子が格納されている。本例では、「サーバ所在地情報」欄の「Ｓｕｐｌ．ｃｏｍ」が指し示すサーバ識別子として「サーバ識別子」欄には、例えばサーバＩＰアドレス「１２９．１２８．３１．２９」が格納されている。なお、「サーバ識別子」欄に示された「・・・」は、何らかのサーバ識別子が格納されていることを表している。このように、データテーブル管理ＤＢ５ｄで管理されているデータテーブルは、通信端末装置の端末識別情報（ユーザ識別）とサーバ所在地情報とを対応付けて格納し、かつサーバ所在地情報が指し示すサーバ識別子を格納するようになっている。「ユーザ識別」欄に格納された端末識別情報は、「サーバ所在地情報」欄に格納されたサーバ所在地情報を介して、「サーバ識別子」欄に格納されたサーバ識別子と対応付けられる。
【００３４】
図２に戻って、サーバ識別子割当部５ｂは、サーバ識別子割当要求受付部５ａが受け付けた割当要求信号に含まれた対象端末識別情報及び対象サーバ所在地情報と同一の端末識別情報及び同一のサーバ所在地情報がデータテーブル管理ＤＢ５ｄで管理されているデータテーブル内で対応付けられている場合に、当該同一のサーバ所在地情報が指し示すサーバ識別子に、当該当要求信号に含まれた対象サーバ識別子を割り当てるようになっている。本実施形態では、サーバ識別子の割り当ては、データテーブル管理ＤＢ５ｄで管理されているデータテーブルのサーバ識別子を書き換えることによって達成される。
【００３５】
より具体的には、例えばサーバ識別子割当要求受付部５ａは、サービス対象通信端末装置の対象端末識別情報「ユーザＡ」及び対象サーバ所在地情報「Ｓｕｐｌ．ｃｏｍ」を含み、当該対象サーバ所在地情報と同一のサーバ所在地情報が指し示すサーバ識別子に例えば対象サーバ識別子のサーバＩＰアドレス「１２９．１２８．３１．２８」を割り当てることを要求する割当要求信号を受信したとする。この場合、サーバ識別子割当部５ｂは、ユーザ識別「ユーザＡ」及びサーバ所在地情報「Ｓｕｐｌ．ｃｏｍ」がデータテーブル管理ＤＢ５ｄで管理されているデータテーブル内で対応付けられている場合に、当該サーバ所在地情報「Ｓｕｐｌ．ｃｏｍ」が指し示すサーバＩＰアドレスにサーバＩＰアドレス「１２９．１２８．３１．２８」を割り当てる。例えば、データテーブル管理ＤＢ５ｄが図４に示すデータテーブルを管理しているとすると、図４の図中の矢印で示すように、サーバ識別子割当部５ｂは、当該割当要求信号を受信すると、ユーザ識別「ユーザＡ」に対応付けられたサーバ所在地情報「Ｓｕｐｌ．ｃｏｍ」が指し示す「サーバ識別子」欄のサーバＩＰアドレスを「１２９．１２８．３１．２９」から「１２９．１２８．３１．２８」に書き換える。
【００３６】
図３を用いて説明したように、本実施形態におけるサービス提供サーバ情報管理部ＤＢ３ａでは、一のサーバ所在地情報に複数のサービス種別及び複数のサーバ識別子が対応付けられている。これにより、本実施形態による中継装置３は、サーバ所在地情報が同一であっても、サービスの種別に応じて異なるサーバ識別子の割当要求信号をＤＮＳサーバ５に送信できる。このため、当該割当要求信号に含まれるサービス対象通信端末装置の対象端末識別情報及び対象サーバ所在地情報が同一であっても、図４に示すデータテーブルの「サーバ識別子」欄に割り当てられる、すなわち書き換えられるサーバ識別子は、サービス種別に応じて異なる。
詳細は後述するが、サーバ識別子送信部５ｃは、当該データテーブルの「サーバ識別子」欄に格納されたサーバ識別子をＤＮＳ解決応答に含めて通信端末装置に送信する。このため、通信端末装置は、同一のサーバ所在地情報（例えばＦＱＤＮ）を含むＤＮＳ解決要求を実行しても、サービス種別に応じて異なるサーバ識別子をＤＮＳサーバ５から取得することができる。
【００３７】
サーバ識別子送信部５ｃは、通信端末装置から送信されたサーバ識別子の取得要求に対してサーバ識別子を当該通信端末装置に送信するようになっている。当該サーバ識別子の取得要求には、当該取得要求を実行した対象通信端末装置の対象端末識別情報と、サーバ識別子の取得対象の対象サーバ所在地情報とが含まれている。サーバ識別子送信部５ｃは、データテーブル管理ＤＢ５ｄが管理しているデータテーブルを参照し、当該取得要求に含まれた当該対象端末識別情報及び対象サーバ所在地情報と同一の端末識別情報及びサーバ所在地情報に対応付けられたサーバ識別子を取得するようになっている。サーバ識別子送信部５ｃは、取得したサーバ識別子がサーバ識別子割当部５ｂによって割り当てられた対象サーバ識別子である場合には、当該取得要求を実行した通信端末装置に割り当て後の対象サーバ識別子を送信することになる。
【００３８】
本実施形態では、サーバ識別子割当要求受付部５ａと、サーバ識別子割当部５ｂと、サーバ識別子送信部５ｃと、データテーブル管理ＤＢ５ｄとは、ＤＮＳサーバ５に設けられているが、個々の機能の一部がＤＮＳサーバ５とは分離された別の装置に設けられていてもよい。例えば、データテーブル管理ＤＢ５ｄは、ＤＮＳサーバ５に設けられている場合もあれば、インターネット上の名前管理サーバに設けられている場合があってもよい。このように、サーバ識別子割当要求受付部５ａ、サーバ識別子割当部５ｂ、サーバ識別子送信部５ｃ及びデータテーブル管理ＤＢ５ｄが互いに分離された装置に設けられている場合であっても、これらが協働して動作することにより、ＤＮＳサーバ５と同様の機能を発揮できる。
【００３９】
（通信システム１の動作）
ここで、通信システム１の動作について図１から図４を用いて説明する。例えば通信端末装置７（図１参照）の端末識別情報を含む位置測位要求を不図示の緊急通報機関が実行した場合の通信システム１の動作について説明する。この場合、通信端末装置７がサービスの提供を受ける対象であるサービス対象通信端末装置となる。また、緊急呼専用のＳＵＰＬサーバが通信端末装置７にサービスを提供する対象である対象サービス提供サーバとなる。
当該緊急通報機関は、通信端末装置７の端末識別情報（本例では「ユーザＡ」とする）及びサービスの種別（本例では緊急呼）を含む位置取得要求を中継装置３に送信する。
【００４０】
中継装置３のサービス要求受付部３ｂが当該位置取得要求を受信すると、サービス提供サーバ情報取得部３ｃは、サービス提供サーバ情報管理部ＤＢ３ａを参照して、サービス識別「緊急呼」に対応付けられた、緊急呼専用のＳＵＰＬサーバのサーバ所在地情報「Ｓｕｐｌ．ｃｏｍ」及びサーバＩＰアドレス「１２９．１２８．３１．２８」を対象サーバ所在地情報及び対象サーバ識別子として取得する（図３参照）。
次に、中継装置３のサーバ識別子割当要求部３ｄは、通信端末装置７の対象端末識別情報「ユーザＡ」と、サービス提供サーバ情報管理部ＤＢ３ａから取得したサーバ所在地情報「Ｓｕｐｌ．ｃｏｍ」（対象サーバ所在地情報）及びサーバＩＰアドレス「１２９．１２８．３１．２８」（対象サーバ識別子）を含む割当要求信号をＤＮＳサーバ５に送信する。
【００４１】
ＤＮＳサーバ５のサーバ識別子割当要求受付部５ａが当該割当要求信号を受信すると、サーバ識別子割当部５ｂは、当該割当要求信号に含まれた対象端末識別情報「ユーザＡ」に対応付けられたサーバ所在地情報「Ｓｕｐｌ．ｃｏｍ」（対象サーバ所在地情報）が指し示すサーバ識別子に、当該割当要求信号に含まれたサーバＩＰアドレス「１２９．１２８．３１．２８」（対象サーバ識別子）を割り当てる。本実施形態では、図４に示すように、サーバ識別子割当部５ｂは、データテーブル管理ＤＢ５ｄで管理されているデータテーブルのサーバ識別子を書き換える。
【００４２】
ＤＮＳサーバ５は、サーバ識別子の割り当てが終了すると、割り当て完了通知を中継装置３に送信する。
当該割り当て完了通知を受信した中継装置３は、位置測位要求を通信端末装置７に送信する。
当該位置測位要求を受信した通信端末装置７は、自機の端末識別情報「ユーザＡ」及び自機のチップ内に設定されたＳＵＰＬサーバのサーバ所在地情報「Ｓｕｐｌ．ｃｏｍ」を含むＤＮＳ解決要求（サーバ識別子取得要求）をＤＮＳサーバ５に送信する。
【００４３】
ＤＮＳサーバ５は、当該ＤＮＳ解決要求に含まれた端末識別情報「ユーザＡ」に対応付けられたサーバ所在地情報「Ｓｕｐｌ．ｃｏｍ」が指し示すサーバ識別子をデータテーブル管理ＤＢ５ｄから取得する。データテーブル管理ＤＢ５ｄで管理されているデータテーブルにおいて、端末識別情報「ユーザＡ」に対応付けられたサーバ所在地情報「Ｓｕｐｌ．ｃｏｍ」が指し示すサーバ識別子は、緊急呼専用のＳＵＰＬサーバのサーバＩＰアドレス「１２９．１２８．３１．２８」に書き換えられている。このため、サーバ識別子送信部５ｃは、端末識別情報「ユーザＡ」及びサーバ所在地情報「Ｓｕｐｌ．ｃｏｍ」を含み、サービス対象通信端末装置（通信端末装置７）からのサーバ識別子の取得要求（ＤＮＳ解決要求）に対して、サーバ識別子割当部５ｂが端末識別情報「ユーザＡ」及びサーバ所在地情報「Ｓｕｐｌ．ｃｏｍ」に対応付けて割り当てたサーバＩＰアドレス「１２９．１２８．３１．２８」をサービス対象通信端末装置（通信端末装置７）に送信する。
【００４４】
ＤＮＳ解決要求に対する応答信号を受信した通信端末装置７は、当該応答信号に含まれたサーバＩＰアドレス「１２９．１２８．３１．２８」のＳＵＰＬサーバにＳＵＰＬ接続要求を実行するとともに、ＳＵＰＬ測位要求を実行する。サーバＩＰアドレス「１２９．１２８．３１．２８」のＳＵＰＬサーバは、緊急呼専用のＳＵＰＬサーバであるので、通信端末装置７は、自機が受けたいサービスの種別に最適なＳＵＰＬサーバに接続要求を行うことができる。
【００４５】
（従来技術の問題点）
ここで、従来技術の問題点について、図５及び図６を用いて説明する。
図５は、従来の通信システム１０１の概略構成を示すブロック図である。図５に示すように、従来の通信システム１０１は、ＧＷ（ＧａｔｅＷａｙ）装置１０３と、ＥＳＰ−ＧＷ（ＥＰＣ（Ｅｖｏｌｖｅｄ  Ｐａｃｋｅｔ  Ｃｏｒｅ）  Ｓｅｒｖｉｎｇ  ａｎｄ  ＰＤＮ（Ｐａｃｋｅｔ  Ｄａｔａ  Ｎｅｔｗｏｒｋ）−ＧａｔｅＷａｙ）１０７と、ｅＮＢ１０９と、ＳＬＰ（ＳＵＰＬ（Ｓｅｃｕｒｅ  Ｕｓｅｒ  Ｐｌａｎｅ  Ｌｏｃａｔｉｏｎ）  Ｌｏｃａｔｉｏｎ  Ｐｌａｔｆｏｒｍ）１１３と、通信端末装置１１１とを有している。
【００４６】
ＧＷ装置１０３は、さまざまなアクセス回線からインターネット接続や企業システム接続を提供するプラットフォームである。ＧＷ装置１０３は、ＤＮＳサーバ１０５を有している。
ＤＮＳサーバ１０５は、通信端末装置１１１からのＤＮＳ解決要求に対し、ＤＮＳ解決を実行してサーバＩＰアドレスを通信端末装置１１１に送信するようになっている。図５に示すように、ＤＮＳサーバ１０５はＤＮＳ解決を実行する際に参照するデータテーブルＴ１０５を有している。
【００４７】
データテーブルＴ１０５は、「ＦＱＤＮ／ＵＲＬ」及び「ＩＰアドレス」の２個の項目に分類されている。「ＦＱＤＮ／ＵＲＬ」はサービスを提供するサービス提供サーバのドメイン名を含む、通信ネットワークにおける所在地情報を示している。本例では、「ＦＱＤＮ／ＵＲＬ」欄には、ＦＱＤＮ「Ｓｕｐｌ．ｃｏｍ」、「ａａａ．ｃｏ，ｊｐ」、「ｂｂｂｂ．ｃｏｍ」及び「ｃｃｃ．ｎｅｔ」が格納されている。「ＦＱＤＮ／ＵＲＬ」欄に示された「・・・」は、何らかのサーバ所在地情報が格納されていることを表している。なお、図５では、ＦＱＤＮのホスト名は省略されている。
【００４８】
「ＩＰアドレス」は、サービスを提供するサービス提供サーバのＩＰアドレスを示している。本例では、ＦＱＤＮ「Ｓｕｐｌ．ｃｏｍ」には、ＩＰアドレス「１２９．１２８．１．２８」が対応付けられている。ＦＱＤＮ「ａａａ．ｃｏ．ｊｐ」には、ＩＰアドレス「１３０．２６．１．３」が対応付けられている。ＦＱＤＮ「ｂｂｂ．ｃｏｍ」には、ＩＰアドレス「１５０．１１１．１１２．６」が対応付けられている。ＦＱＤＮ「ｃｃｃ．ｎｅｔ」には、ＩＰアドレス「１３１．２６．１．４０」が対応付けられている。
【００４９】
ＥＳＰ−ＧＷ１０７は、Ｓ−ＧＷ（Ｓｅｒｖｉｎｇ−Ｇａｔｅｗａｙ）及びＰ−ＧＷ（Ｐａｃｋｅｔ  Ｄａｔａ  Ｎｅｔｗｏｒｋ−Ｇａｔｅｗａｙ）の機能を有している。ＥＳＰ−ＧＷ１０７は、不図示のＭＭＥ（Ｍｏｂｉｌｉｔｙ  Ｍａｎａｇｅｍｅｎｔ  Ｅｎｔｉｔｙ）の指令に基づいてユーザデータパケットの伝達制御を行う機能（Ｓ−ＧＷの機能）と、ＰＤＮとの接続点となり、ＩＰアドレスの割り当てなどを行うとともに、ＰＤＮから通信端末装置１１１等への全てのユーザデータパケットを受ける機能（Ｐ−ＧＷの機能）を発揮する。
また、ＥＳＰ−ＧＷ１０７は不図示のＭＭＥ及び不図示のＰＣＲＦ（Ｐｏｌｉｃｙ  ａｎｄ  Ｃｈａｒｇｉｎｇ  Ｒｕｌｅｓ  Ｆｕｎｃｔｉｏｎ）とともにコアネットワークを構成する。
【００５０】
ｅＮＢ１０９は、ｅＮｏｄｅＢ（無線基地局）である。ｅＮＢ１０９は、特定の範囲に対してセル識別子（例えば、セルＩＤ）を送出することによりＬＴＥ（Ｌｏｎｇ  Ｔｅｒｍ  Ｅｖｏｌｕｔｉｏｎ）在圏エリア（在圏セル）を形成するようになっている。通信端末装置１１１がＬＴＥ在圏エリア内にある場合には、ｅＮＢ１０９は、通信端末装置１１１との間でＬＴＥ方式に従った無線通信を行うことができる。通信端末装置１１１は、ｅＮＢ１０９を介してｅＮＢ１０９の上流（上位）に位置しているＥＳＰ−ＧＷ１０７、ＧＷ装置１０３及びＳＬＰ１１３と通信するようになっている。また、ｅＮＢ１０９は、無線アクセス制御機能を有しているので、無線ネットワーク制御装置を介さずに、ＬＴＥ方式のコアネットワーク装置の一構成であるＭＭＥに直接接続できる。
【００５１】
ＳＬＰ１１３は、測位要求を実行した通信端末装置に対してＳＵＰＬ通信にてアシストデータ等を送信するサーバである。なお、ＳＵＰＬ通信は、ユーザデータを転送するための伝送路であるユーザプレーン（Ｕ−Ｐｌａｎｅ）を利用して通信端末装置と所定の装置間で位置測位信号を送受信する測位方式の通信である。また、アシストデータは、ＧＰＳ（Ｇｌｏｂａｌ  Ｐｏｓｉｔｉｏｎｉｎｇ  Ｓｙｓｔｅｍ）による測位で広く使用されているパラメータの集合であり、緯度経度や誤差半径に相当する。本例では、ＳＬＰ１１３のサーバＩＰアドレスは「１２９．１２８．１．２８」である。
通信端末装置１１１（本例では、移動通信端末装置）は、チップ内に埋め込まれたＦＱＤＮ「Ｓｕｐｌ．ｃｏｍ」を有している。当該ＦＱＤＮは、ユーザが操作可能なアプリケーション層ではなく、通信端末装置１１１の使用者（ユーザ）が操作不可能なデバイス層に１つ設定されている。
【００５２】
次に、従来の通信システム１０１において、通信端末装置１１１がＳＬＰ１１３にＳＵＰＬ接続要求を実行する動作を説明する。
まず、通信端末装置１１１は、ＦＱＤＮ「Ｓｕｐｌ．ｃｏｍ」を含むＤＮＳ解決要求をｅＮＢ１０９及びＥＳＰ−ＧＷ１０７を介して、ＤＮＳサーバ１０５に対して実行する（ステップＳ１０１）。
当該ＤＮＳ解決要求を受信したＤＮＳサーバ１０５は、データテーブルＴ１０５を参照してＤＮＳ解決を実行する（ステップＳ１０３）。ＤＮＳサーバ１０５は、ＦＱＤＮ「Ｓｕｐｌ．ｃｏｍ」に対応付けられたサーバＩＰアドレス「１２９．１２８．１．２８」を取得する。
【００５３】
ＤＮＳサーバ１０５は、取得したサーバＩＰアドレス「１２９．１２８．１．２８」を通信端末装置１１１に送信する（ステップＳ１０５）。
サーバＩＰアドレス「１２９．１２８．１．２８」を受信した通信端末装置１１１は、ｅＮＢ１０９及びＥＳＰ−ＧＷ１０７を介してＳＬＰ１１３に対してＳＵＰＬ接続要求を実行する（ステップＳ１０７）。
通信システム１０１では、通信端末装置１１１に設定されたＦＱＤＮをユーザが操作不可能である。さらに、通信システム１０１では、ＤＮＳサーバ１０５のデータテーブルＴ１０５でＦＱＤＮ「Ｓｕｐｌ．ｃｏｍ」に１つのサーバＩＰアドレスのみが対応付けられている。このため、通信端末装置１１１からのＳＵＰＬ接続要求は必ずＳＬＰ１１３に送信される。このように、通信システム１０１は、通信端末装置１１１の接続先のＳＬＰ１１３を振り分けることができないという問題を有している。
【００５４】
図６は、従来の他の例による通信システム１２１の概略構成を示すブロック図である。なお、図５に示す通信システム１０１と同様の機能及び作用を奏する構成要素には同様の符号を付して、その説明を省略する。
図６に示すように、本例の通信システム１２１は、図５に示す通信システム１０１に対し、ＤＮＳサーバ１２５に設けられたデータテーブルＴ１２５の構成と、ＳＬＰサーバが３つ（ＳＬＰ１１３ａ、１１３ｂ、１１３ｃ）備えられている点とが異なっている。
【００５５】
ＤＮＳサーバ１２５に設けられたデータテーブルＴ１２５は、「ＦＱＤＮ／ＵＲＬ」欄に格納された「Ｓｕｐｌ．ｃｏｍ」に対応付けて「ＩＰアドレス」欄に３つのサーバＩＰアドレス「１２９．１２８．１．２８」、「１２０．１２８．１．２９」及び「１２９．１２８．１．３０」が格納されている。
データテーブルＴ１２５において、「Ｓｕｐｌ．ｃｏｍ」に３つのサーバＩＰアドレスが対応付けられているので、通信システム１２１には、３つのＳＬＰ１１３ａ、１１３ｂ、１１３ｃが設けられている。ＳＬＰ１１３ａのサーバＩＰアドレスは「１２９．１２８．１．２８」であり、ＳＬＰ１１３ｂのサーバＩＰアドレスは「１２０．１２８．１．２９」であり、ＳＬＰ１１３ｃのサーバＩＰアドレスは「１２９．１２８．１．３０」である。
【００５６】
次に、従来の通信システム１２１において、通信端末装置１１１ａ、１１１ｂ、１１１ｃがＳＬＰ１１３ａ、１１３ｂ、１１３ｃにＳＵＰＬ接続要求を実行する動作を説明する。
まず、通信端末装置１１１ａは、ＦＱＤＮ「Ｓｕｐｌ．ｃｏｍ」を含むＤＮＳ解決要求をｅＮＢ１０９及びＥＳＰ−ＧＷ１０７を介して、ＤＮＳサーバ１２５に対して実行する（ステップＳ１１１）。
【００５７】
当該ＤＮＳ解決要求を受信したＤＮＳサーバ１２５は、データテーブルＴ１２５を参照してＤＮＳ解決を実行する（ステップＳ１１３）。ＤＮＳサーバ１１５は、ＦＱＤＮ「Ｓｕｐｌ．ｃｏｍ」に対応付けられた３つのサーバＩＰアドレスのうち、１番目のサーバＩＰアドレス「１２９．１２８．１．２８」を取得する。
ＤＮＳサーバ１２５は、取得したサーバＩＰアドレス「１２９．１２８．１．２８」を通信端末装置１１１ａに送信する（ステップＳ１１５）。
サーバＩＰアドレス「１２９．１２８．１．２８」を受信した通信端末装置１１１ａは、ｅＮＢ１０９及びＥＳＰ−ＧＷ１０７を介してＳＬＰ１１３ａに対してＳＵＰＬ接続要求を実行する（ステップＳ１１７）。
【００５８】
通信端末装置１１１ａの次に通信端末装置１１１ｂがＤＮＳ解決要求を実行すると、ＤＮＳ１２５は、ＦＱＤＮ「Ｓｕｐｌ．ｃｏｍ」に対応付けられた３つのサーバＩＰアドレスのうち、２番目のサーバＩＰアドレス「１２９．１２８．１．２９」を取得し、当該サーバＩＰアドレスを通信端末装置１１１ｂに送信する。
サーバＩＰアドレス「１２９．１２８．１．２９」を受信した通信端末装置１１１ｂは、ｅＮＢ１０９及びＥＳＰ−ＧＷ１０７を介してＳＬＰ１１３ｂに対してＳＵＰＬ接続要求を実行する（ステップＳ１１９）。
【００５９】
通信端末装置１１１ｂの次に通信端末装置１１１ｃがＤＮＳ解決要求を実行すると、ＤＮＳ１２５は、ＦＱＤＮ「Ｓｕｐｌ．ｃｏｍ」に対応付けられた３つのサーバＩＰアドレスのうち、３番目のサーバＩＰアドレス「１２９．１２８．１．３０」を取得し、当該サーバＩＰアドレスを通信端末装置１１１ｃに送信する。
サーバＩＰアドレス「１２９．１２８．１．３０」を受信した通信端末装置１１１ｃは、ｅＮＢ１０９及びＥＳＰ−ＧＷ１０７を介してＳＬＰ１１３ｃに対してＳＵＰＬ接続要求を実行する（ステップＳ１２１）。
【００６０】
このように、通信システム１２１では、ＤＮＳサーバ１２５は、一のＦＱＤＮに対して複数（本例では３つ）のサーバＩＰアドレスを対応付けたデータテーブルＴ１２５を有している。通信システム１２１は、通信端末装置１１１ａ〜１１１ｃからのＤＮＳ解決要求に対して、３つのサーバＩＰアドレスを順番に払い出す。これにより、通信端末装置１１１ａ〜１１１ｃはＳＵＰＬ接続するＳＬＰ１１３ａ〜１１３ｃをラウンドロビン選択するので、通信システム１２１はＳＬＰの負荷分散を実現できる。
【００６１】
通信端末装置は、ユーザが操作できない領域に１個のＦＱＤＮが埋め込まれているため、サービスごとに選択されるＳＬＰを振り分けられないという問題がある。
１個のＦＱＤＮが埋め込まれた構成の通信端末装置であっても、通信システム１２１は、ＳＬＰの負荷分散を実現できる。しかしながら、通信システム１２１は、予め定めたプールＩＰ（本例では、１２９．１２８．１．２８〜１２９．１２８．１．３０）の中でＩＰアドレスをラウンドロビンに払い出すことしかできない。このため、通信システム１２１は、ラウンドロビン選択によるＳＬＰの負荷分散は可能であるが、サービスやユーザ状況を意識したＤＮＳ解決を実現できない。
【００６２】
サービスごと（例えば、緊急呼、一般の測位要求）、ユーザ条件（契約状態など）、ユーザ状況（利用中断中、輻輳中など）に応じて処理を行うＳＬＰを分けたい場合がある。しかしながら、通信システム１２１では、サービスごと、ユーザ条件ごと、あるいはユーザ状況ごとに応じて処理を行うＳＬＰを分けることができない。このため、通信システム１２１では、例えば緊急呼を優先的に処理するために緊急呼用のＳＬＰに通信端末装置を振り分けることができないという問題がある。
【００６３】
これに対し、本実施形態による通信システム１では、同一のサーバ所在地情報であっても接続するサーバを選択できる。また、通信システム１は、サービスの種別や通信端末装置の状況に応じて接続するサーバを選択できる。このため、本実施形態によれば、例えば緊急通報に伴うＳＵＰＬサービスで利用するサーバと一般のＳＵＰＬサービスで利用するサーバとを異ならせ、緊急通報に伴うＳＵＰＬ接続要求の通信端末装置を緊急通報用のＳＬＰに選択的に接続できる。また、通信システム１は、ＬＣＳ−Ｃｌｉｅｎｔなどサービス要求サーバがＧＭＬＣ（中継装置）を経由して移動通信端末装置のアプリケーションを起動し、移動通信端末装置のアプリケーションがサービス提供サーバ（ＳＵＰＬ）と通信してサービスを受けるような場合に有効である。
【００６４】
（実施例）
次に、本実施形態の実施例による中継装置、ＤＮＳサーバ及びそれらを備えた通信システムについて図２を参照しつつ、図７から図１１を用いて説明する。
図７は、本実施例による通信システム１１の概略構成を示すブロック図である。図７に示すように、本実施例による通信システム１１は、中継装置としてのＧＭＬＣ（Ｇａｔｅｗａｙ  Ｍｏｂｉｌｅ  Ｌｏｃａｔｉｏｎ  Ｃｅｎｔｅｒ）１３と、ＧＷ装置１５と、ＥＳＰ−ＧＷ１７と、ｅＮｏｄｅＢ１９と、加入者管理サーバ（Ｈｏｍｅ  Ｓｕｂｓｃｒｉｂｅｒ  Ｓｅｒｖｅｒ：ＨＳＳ）２１と、ＳＬＰ２３と、通信端末装置１１１とを有している。
【００６５】
本実施例による中継装置としてのＧＭＬＣ１３は、概略位置導出や、ＬＣＳ−Ｃｌｉｅｎｔ２５からの第三者要求の受付を行う機能を奏するサーバである。また、ＧＭＬＣ１３は、当該機能の他に、中継装置３と同様の機能を発揮するように構成されている。すなわち、ＧＭＬＣ１３は、図２に示す中継装置３と同様の構成を有している。このため、ＧＭＬＣ１３の詳細な説明は省略する。
【００６６】
図８は、ＧＭＬＣ１３に設けられたサービス提供サーバ情報管理部ＤＢ３ａ（図２参照）のデータベース構成の一例を示している。図８に示すように、当該データベース構成は、「サービス識別」、「サーバ所在地情報」、「サーバ識別子」及び「割当継続期間」の４個の項目に分類されている。「サービス識別」は、図３に示す「サービス識別」と同様であり、「サーバ所在地情報」は図３に示す「サーバ所在地情報」と同様であり、「サーバ識別子」は図３に示す「サーバ識別子」と同様であるため、説明は省略する。
【００６７】
「割当継続期間」は、サーバ識別子に対象サーバ識別子を割り当てた後に別のサーバ識別子を割り当てるまでの期間である。「割当継続期間」欄に格納された情報は、「サービス識別」欄、「サーバ所在地情報」欄及び「サーバ識別子」欄のそれぞれに格納された情報と対応付けられている。なお、「割当継続期間」欄に示された「・・・」は、何らかの割当継続期間の情報が格納されていることを表している。割当継続期間は、例えばサービスの平均処理所要時間などを考慮して設定される。本例では、「サービス識別」欄に格納されたサービスの種別によらず、「割当継続期間」欄に「２０秒」が格納されているが、例えば「緊急呼」であれば２０秒、「自己位置確認」であれば１０秒など、サービスの種別に応じて異なる時間が格納されていてももちろんよい。
【００６８】
サービス提供サーバ情報管理部ＤＢ３ａの同一行に格納されたそれぞれの構成は対応付けられる。本例では、項目行を除く第１行目にそれぞれ格納された、「サービス識別」欄の「緊急呼」と、「サーバ所在地情報」欄の「Ｓｕｐｌ．ｃｏｍ」と、「サーバ識別子」欄の「１２９．１２８．３１．２８」と、「割当継続期間」欄の「２０秒」とが対応付けられる。同様に、項目行を除く第２行目にそれぞれ格納された、「サービス識別」欄の「自己位置確認」と、「サーバ所在地情報」欄の「Ｓｕｐｌ．ｃｏｍ」と、「サーバ識別子」欄の「１２９．１２８．３１．２９」と、「割当継続期間」欄の「２０秒」とが対応付けられる。同様に、項目行を除く第３行目にそれぞれ格納された、「サービス識別」欄の「第三者位置確認」と、「サーバ所在地情報」欄の「Ｓｕｐｌ．ｃｏｍ」と、「サーバ識別子」欄の「１２９．１２８．３１．３０」と、「割当継続期間」欄の「２０秒」とが対応付けられる。
ＧＭＬＣ１３に設けられたサーバ識別子割当要求部３ｄ（図２参照）は、ＤＮＳサーバ１５ａに対し、割当継続期間を含めてサーバ識別子の割り当てを要求するようになっている。
【００６９】
図７に戻って、ＧＷ装置１３は、さまざまなアクセス回線からインターネット接続や企業システム接続を提供するプラットフォームである。ＧＷ装置１３は、ＤＮＳサーバ１５と、ＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ  ）サーバ１５ｂとを有している。
ＤＮＳサーバ１５ａは、通信端末装置２７からのＤＮＳ解決要求に対し、ＤＮＳ解決を実行してサーバ識別子を通信端末装置２７に送信するようになっている。ＤＮＳサーバ１５ａの概略構成は、図２に示すＤＮＳサーバ５の概略構成と同じであり、ＤＮＳサーバ１５ａは、ＤＮＳサーバ５と同じ機能を発揮するため、説明は省略する。
【００７０】
図９は、ＤＮＳ１５ａに設けられたデータテーブル管理部ＤＢ５ｄで管理しているデータテーブルの一例を示している。図９に示すように、当該データベース構成は、「ユーザ識別」、「サーバ所在地情報」、「サーバ識別子」及び「割当継続期間」の４個の項目に分類されている。「ユーザ識別」は、図４に示す「ユーザ識別」と同様であり、「サーバ所在地情報」は図４に示す「サーバ所在地情報」と同様であり、「サーバ識別子」は図４に示す「サーバ識別子」と同様であるため、説明は省略する。
「割当継続期間」は、サーバ識別子に対象サーバ識別子を割り当てた後に別のサーバ識別子を割り当てるまでの期間である。「割当継続期間」欄に格納された情報は、「ユーザ識別」欄、「サーバ所在地情報」欄及び「サーバ識別子」欄のそれぞれに格納された情報と対応付けられている。なお、「割当継続期間」欄に示された「・・・」は、何らかの割当継続期間の情報が格納されていることを表している。
【００７１】
「ユーザ識別」欄の「ユーザＡ」と、「サーバ所在地情報」欄の「Ｓｕｐｌ．ｃｏｍ」と、「サーバ識別子」欄の「１２９．１２８．３１．２９」と、「割当継続期間」欄の「２０秒」とが対応付けられる。同様に、「ユーザ識別」欄の「ユーザＢ」と、「サーバ所在地情報」欄の「Ｓｕｐｌ．ｃｏｍ」と、「サーバ識別子」欄の「１２９．１２８．３１．２９」と、「割当継続期間」欄の「２０秒」とが対応付けられる。同様に、「ユーザ識別」欄の「ユーザＣ」と、「サーバ所在地情報」欄の「Ｓｕｐｌ．ｃｏｍ」と、「サーバ識別子」欄の「１２９．１２８．３１．２９」と、「割当継続期間」欄の「２０秒」とが対応付けられる。
【００７２】
図７に戻って、ＲＡＤＩＵＳサーバ１５ｂは、通信端末装置２７からのＲＡＤＩＵＳ認証要求に対して、サーバ識別子を払い出す機能を有している。このＲＡＤＩＵＳ認証要求には、通信端末装置２７において入力された端末識別情報（例えば、ＭＳＩＳＤＮ）、ユーザＩＤ及びパスワード等が含まれている。ＲＡＤＩＵＳサーバ１５ｂは、端末識別情報やパスワードに基づいて通信端末装置の検証を行い、検証結果に応じた応答信号（アクセス許可信号（例えば、ユーザＩＰアドレス）又はアクセス許否信号）を返信する。ＲＡＤＩＵＳサーバ１５ｂは、通信端末装置２７の端末識別情報と通信端末装置２７に送信したユーザＩＰアドレスとを対応付けて記憶する。
【００７３】
ＥＳＰ−ＧＷ１７は、ＧＭＬＣ１３と、ＧＷ装置１５と、ＳＬＰ２３とに接続されているＥＳＰ−ＧＷ１７は、Ｓ−ＧＷ及びＰ−ＧＷの機能を有している。ＥＳＰ−ＧＷ１７は、不図示のＭＭＥの指令に基づいてユーザデータパケットの伝達制御を行う機能（Ｓ−ＧＷの機能）と、ＰＤＮとの接続点となり、ＩＰアドレスの割り当てなどを行うとともに、ＰＤＮから通信端末装置２７等への全てのユーザデータパケットを受ける機能（Ｐ−ＧＷの機能）とを発揮する。
また、ＥＳＰ−ＧＷ１７は不図示のＭＭＥ及び不図示のＰＣＲＦとともにコアネットワークを構成する。
【００７４】
ｅＮｏｄｅＢ１９は、特定の範囲に対してセル識別子（例えば、セルＩＤ）を送出することによりＬＴＥ（Ｌｏｎｇ  Ｔｅｒｍ  Ｅｖｏｌｕｔｉｏｎ）在圏エリア（在圏セル）Ｅを形成するようになっている。通信端末装置２７がＬＴＥ在圏エリアＥ内にある場合には、ｅＮｏｄｅＢ１９は、通信端末装置２７との間でＬＴＥ方式に従った無線通信を行うことができる。通信端末装置２７は、ｅＮｏｄｅＢ１９を介してｅＮｏｄｅＢ１９の上流（上位）に位置しているＥＳＰ−ＧＷ１７、ＧＭＬＣ１３、ＧＷ装置１５及びＳＬＰ２３と通信するようになっている。また、ｅＮｏｄｅＢ１９は、無線アクセス制御機能を有しているので、無線ネットワーク制御装置を介さずに、ＬＴＥ方式のコアネットワーク装置の一構成であるＭＭＥに直接接続できる。
【００７５】
ＨＳＳ２１は、ＧＭＬＣ１３に接続されている。ＨＳＳ２１は、通信端末装置の端末識別情報と対応付けられた加入者情報を記憶する加入者情報記憶部（加入者情報データベース）であり、認証情報及び在圏情報の管理を行う。
ＳＬＰ２３は、ＧＭＬＣ１３に接続されている。ＳＬＰ２３は、測位要求を実行した通信端末装置に対してＳＵＰＬ通信にてアシストデータ等を送信するサーバである。なお、ＳＵＰＬ通信は、ユーザデータを転送するための伝送路であるユーザプレーンを利用して通信端末装置と所定の装置間で位置測位信号を送受信する測位方式の通信である。また、アシストデータは、ＧＰＳによる測位で広く使用されているパラメータの集合であり、緯度経度や誤差半径に相当する。
【００７６】
ＬＣＳ−Ｃｌｉｅｎｔ２５はＧＭＬＣ２５に接続されている。ＬＣＳ−Ｃｌｉｅｎｔ２５は緊急通報機関である。ＬＣＳ−Ｃｌｉｅｎｔ２５は、通信端末装置の位置情報を取得して位置情報検索者とのユーザインタフェースを提供するコンテンツプロバイダである。ＬＣＳ−Ｃｌｉｅｎｔ２５は通信ネットワークに接続された外部装置に相当する。
通信端末装置２７（本例では、移動通信端末装置）は、チップ内に埋め込まれたＦＱＤＮ「Ｓｕｐｌ．ｃｏｍ」を有している。当該ＦＱＤＮは、通信端末装置２７の使用者（ユーザ）が操作可能なアプリケーション層ではなく、ユーザが操作不可能なデバイス層に１つ設定されている。
【００７７】
（ＧＭＬＣ１３、ＤＮＳサーバ１５ａ及び通信システム１１の動作）
次に、本実施例による中継装置としてのＧＭＬＣ１３、ＤＮＳサーバ１５ａ及び通信システム１１の動作について、図２を参照しつつ、図１０及び図１１を用いて説明する。図１０は、ＧＭＬＣ１３、ＤＮＳサーバ１５ａ及び通信システム１１の動作を説明するための通信システム１１の概略構成のブロック図である。図１１は、ＧＭＬＣ１３、ＤＮＳサーバ１５ａ及び通信システム１１の動作を説明するためのシーケンス図である。図１０では、図７と異なり、３つのＳＬＰ２３ａ、２３ｂ、２３ｃが図示されている。また、図１０では、ＨＳＳ２１の図示は省略されている。また、図１０及び図１１において、同じ動作には、同じステップ番号が付されている。
【００７８】
図１０に示すように、ＳＬＰ２３ａは緊急呼専用のＳＵＰＬサーバであり、ＳＬＰ２３ａのサーバ識別子としてのサーバＩＰアドレスは「１２９．１２８．１．２８」である。ＳＬＰ２３ｂは自己位置確認（ＭＯ）専用のＳＵＰＬサーバであり、ＳＬＰ２３ｂのサーバ識別子としてのサーバＩＰアドレスは「１２９．１２８．１．２９」である。ＳＬＰ２３ｃは第三者位置確認（ＭＴ）専用のＳＵＰＬサーバであり、ＳＬＰ２３ｃのサーバ識別子としてのサーバＩＰアドレスは「１２９．１２８．１．３０」である。
通信端末装置２７には、ＳＵＰＬサービスを提供するサーバの所在地情報としてＦＱＤＮ「Ｓｕｐｌ．ｃｏｍ」が設定されている。なお、図１０では、ＦＱＤＮのホスト名は省略されている。また、通信端末装置２７は、緊急通報サービス（図１０では、「サービスＡ」と称されている）を利用可能な装置である。
【００７９】
図１１に示すように、通信端末装置２７は、ＲＡＤＩＵＳサーバ１５ｂに対し、ＲＡＤＩＵＳ認証要求を実行する（ステップＳ１）。当該認証要求には、通信端末装置２７の識別情報（例えばＭＳＩＳＤＮ）が含まれる。
当該認証要求を受信したＲＡＤＩＵＳサーバ１５ｂは、当該認証要求に含まれた端末識別情報に基づいて通信端末装置２７の検証を行う（ステップＳ２）。
ＲＡＤＩＵＳサーバ１５ｂは、検証結果に応じた応答信号を通信端末装置２７に送信する（ステップＳ３）。ＲＡＤＩＵＳサーバ１５ｂは、認証許可の場合には、当該応答信号にユーザＩＰアドレスを含めることにより、ユーザＩＰアドレスを通信端末装置２７に送信する。ＲＡＤＩＵＳサーバ１５ｂは、通信端末装置２７の端末識別情報と、通信端末装置２７に送信したユーザＩＰアドレスとを対応付けて記憶する。
【００８０】
図１０及び図１１に示すように、ＬＣＳ−Ｃｌｉｅｎｔ２５は、位置取得要求をＧＭＬＣ１３に送信する（ステップＳ４）。当該位置取得要求には、位置取得要求の対象（サービス提供を受ける対象）となる通信端末装置２７の端末識別情報である対象端末識別情報（例えばＭＳＩＳＤＮ）と、サービス種別（本例では、緊急呼）とが含まれる。
【００８１】
ＧＭＬＣ１３のサービス要求受付部３ｂ（図２参照）が当該位置登録要求を受け付けると、ＧＭＬＣ１３のサービス提供サーバ情報取得部３ｃ（図２参照）は、サービスの種別を判定するとともに、サービス提供サーバ情報管理ＤＢ３ａ（図８参照）を参照して、サーバ所在地情報（本例ではＦＱＤＮ）及びサーバ識別子（本例ではサーバＩＰアドレス）を対象サーバ所在地情報及び対象サーバ識別子として取得する（ステップＳ５）。サービス提供サーバ情報取得部３ｃは、サービス提供サーバ情報管理ＤＢ３ａにおいて、位置登録要求に含まれたサービス種別と同一のサービス種別に対応付けられたサーバ所在地情報及びサーバ識別子を取得する。また、サービス提供サーバ情報取得部３ｃは、当該サービス種別に対応付けられた割当継続期間の情報も取得する。
【００８２】
サービス提供サーバ情報取得部３ｃがサーバ所在地情報（対象サーバ所在地情報）及び対象サーバ識別子としてのサーバＩＰアドレス（以下、対象サーバ識別子としてのサーバＩＰアドレスを「対象サーバＩＰアドレス」と称する場合がある）を取得したら、ＧＭＬＣ１３のサーバ識別子割当要求部３ｄは、サーバ識別子割当要求信号をＲＡＤＩＵＳサーバ１５ｂに送信する（ステップＳ６）。当該割当要求信号には、ＬＣＳ−Ｃｌｉｅｎｔ２５から送信された対象端末識別情報（例えばＭＳＩＳＤＮ）と、取得した対象サーバ所在地情報（例えば、Ｓｕｐｌ．ｃｏｍ）及び対象サーバＩＰアドレス（例えば、１２９．１２８．３１．２８）とが含まれる。
【００８３】
当該割当要求信号を受信したＲＡＤＩＵＳサーバ１５ｂは、当該割当要求信号に含まれた対象端末識別情報（例えばＭＳＩＳＤＮ）に対応付けられたユーザＩＰアドレスを導出する（ステップＳ７）。なお、ステップＳ６及びステップＳ７の流れについては、ＧＭＬＣ１３が直接ＤＮＳサーバ１５ａへサーバ識別子割当要求を行い、ＤＮＳサーバ１５ａがＲＡＤＩＵＳ１５ｂに対して当該割当要求に含まれた端末識別情報（例えばＭＳＩＳＤＮ）に対応付けられたユーザＩＰアドレスの導出を要求するようになっていてもよい。
ＲＡＤＩＵＳサーバ１５ｂは、当該ＭＳＩＳＤＮを、導出したユーザＩＰアドレスに置き換えて、対象端末識別情報としての当該ユーザＩＰアドレス（以下、「対象ユーザＩＰアドレス」と称する場合がある）を含む割当要求信号をＤＮＳサーバ１５ａに送信する（ステップＳ８）。
【００８４】
ＤＮＳサーバ１５ａのサーバ識別子割当要求受付部５ａ（図２参照）が当該割当要求信号を受信したら、図１０及び図１１に示すように、サーバ識別子割当部５ｂ（図２参照）は、当該割当要求信号に含まれた対象ユーザＩＰアドレスと同一のユーザＩＰアドレスに対応付けられた、対象サーバ所在地情報と同一のサーバ所在地情報（本例では、Ｓｕｐｌ．ｃｏｍ）が指し示すサーバ識別子（本例では、サーバＩＰアドレス）を、当該割当要求信号に含まれた対象サーバ識別子（本例では、対象サーバＩＰアドレス）に書き換える（ステップＳ９）。
サーバ識別子の書き換えが終了したら、ＤＮＳサーバ１５ａは、サーバ識別子の書き換え完了通知をＲＡＤＩＵＳサーバ１５ｂに送信する（ステップＳ１０）。
【００８５】
ＲＡＤＩＵＳサーバ１５ｂは、当該書き換え完了通知をＧＭＬＣ１３に転送する（ステップＳ１１）。
図１０及び図１１に示すように、当該書き換え完了通知を受信したＧＭＬＣ１３は、位置測位要求をＳＬＰ２３に送信する（ステップＳ１２）。当該位置測位要求を受信したＳＬＰ２３は、当該位置測位要求を通信端末装置２７に転送する（ステップＳ１３）。
図１０及び図１１に示すように、当該位置測位要求を受信した通信端末装置２７は、ＤＮＳ解決要求をＤＮＳ１５ａに送信する（ステップＳ１４）。当該ＤＮＳ解決要求には、通信端末装置２７の対象ユーザＩＰアドレスと対象サーバ所在地情報（例えばＦＱＤＮ）とが含まれる。
【００８６】
当該ＤＮＳ解決要求を受信したＤＮＳサーバ１５ａは、当該ＤＮＳ解決要求に含まれた対象ユーザＩＰアドレスと同一のユーザＩＰアドレスに対応付けられたサーバ所在地情報が指し示すサーバＩＰアドレスを取得する（ステップＳ１５）。ＤＮＳサーバ１５ａは、当該サーバＩＰアドレスをデータテーブル管理ＤＢ５ｄが管理するデータテーブル（図９参照）から取得する。対象ユーザＩＰアドレス及び対象サーバ所在地情報に対応付けられたサーバＩＰアドレスは、ステップＳ９において、対象サーバＩＰアドレス「１３９．１２８．１．２８」に書き換えられている。
図１０及び図１１に示すように、ＤＮＳサーバ１５ａのサーバ識別子送信部５ｃ（図２参照）は、取得したサーバＩＰアドレス「１３９．１２８．１．２８」を含むＤＮＳ解決応答を通信端末装置２７に送信する（ステップＳ１６）。
【００８７】
図１０及び図１１に示すように、当該ＤＮＳ解決応答を受信した通信端末装置２７は、当該ＤＮＳ解決応答に含まれたサーバＩＰアドレス「１３９．１２８．１．２８」のＳＬＰ２３ａに対してＳＵＰＬ接続要求を送信する（ステップＳ１７）。当該ＳＵＰＬ接続要求を受信したＳＬＰ２３ａは、通信端末装置２７との間で従来公知のＳＵＰＬ測位処理を実行する（ステップＳ１８）。
ＳＵＰＬ測位処理が終了したら、通信端末装置２７は、測位結果通知をＳＬＰ２３ａに送信する（ステップＳ１９）。
【００８８】
図１０及び図１１に示すように、当該測位結果通知を受信したＳＬＰ２３ａは、当該測位結果通知をＧＭＬＣ１３に転送する（ステップＳ２０）。
当該測位結果通知を受信したＧＭＬＣ１３は、当該測位結果通知をＬＣＳ−Ｃｌｉｅｎｔ２５に転送する（ステップＳ２１）。これにより、通信端末装置２７の測位結果（位置情報）がＬＣＳ−Ｃｌｉｅｎｔ２５に通知される。また、この測位結果は緊急呼専用のＳＬＰ２３ａを介してＬＣＳ−Ｃｌｉｅｎｔ２５に通知される。
【００８９】
ＧＭＬＣ１３は、ステップＳ５において割当継続期間を取得している。このため、図１０及び図１１に示すように、ＧＭＬＣ１３は、サーバ識別子の割当要求を実行してから割当継続期間（本例では、２０秒間）が経過したと判定すると、サーバ識別子割当要求部３ｄを介してサーバ識別子割当要求信号をＲＡＤＩＵＳサーバ１５ｂに送信する（ステップＳ２２）。当該割当要求信号には、通信端末装置２７の端末識別情報（例えばＭＳＩＳＤＮ）と、サーバ所在地情報と、サーバ識別子としてサーバＩＰアドレス（本例では、「１２９．１２８．１．２９」）とが含まれる。
当該割当要求信号を受信したＲＡＤＩＵＳサーバ１５ｂは、当該割当要求信号に含まれた端末識別情報（例えばＭＳＩＳＤＮ）に対応付けられたユーザＩＰアドレスを導出する（ステップＳ２３）。
【００９０】
ＲＡＤＩＵＳサーバ１５ｂは、端末識別情報を、導出したユーザＩＰアドレスに置き換えて、当該割当要求信号をＤＮＳサーバ１５ａに送信する（ステップＳ２４）。
ＤＮＳサーバ１５ａのサーバ識別子割当要求受付部５ａが当該割当要求信号を受信したら、サーバ識別子割当部５ｂは、当該割当要求信号に含まれたユーザＩＰアドレスとサーバ所在地情報（例えば、Ｓｕｐｌ．ｃｏｍ）とに対応付けられたサーバ識別子を当該割当要求信号に含まれたサーバ識別子に書き換える。これにより、データテーブル管理ＤＢ５ｄが管理するデータテーブルにおける通信端末装置２７のユーザＩＰアドレスに対応付けられたサーバ所在地情報（例えば、Ｓｕｐｌ．ｃｏｍ）が指し示すサーバ識別子としてサーバＩＰアドレス「１２９．１２８．１．２９」が割り当てられる。
【００９１】
以上説明したように、本実施例による中継装置としてのＧＭＬＣ１３、ＤＮＳサーバ１５ａ及びそれらを備えた通信システム１１は、同一のサーバ所在地情報であっても接続するサーバを選択できる。また、本実施例による通信システム１１は、サービスの種別に応じて接続するサーバを選択できる。このため、本実施形態によれば、例えば緊急通報に伴うＳＵＰＬサービスで利用するサーバと一般のＳＵＰＬサービスで利用するサーバとを異ならせ、緊急通報に伴うＳＵＰＬ接続要求の通信端末装置を緊急通報用のＳＬＰに選択的に接続できる。
【００９２】
本発明は、コンピュータプログラムとして具体化することができる。例えば、中継装置３やＤＮＳサーバ５の各部の機能を通信用プログラムとして実現することもできる。したがって、本発明の一部または全ては、ハードウェアまたはソフトウェア（ファームウェア、常駐ソフトウェア、マイクロコード、ステートマシン、ゲートアレイ等を含む）に組み入れることができる。さらに、本発明は、コンピュータによって使用可能な、またはコンピュータ可読の記憶媒体上のコンピュータプログラム製品の形態をとることができ、この媒体には、コンピュータによって使用可能な、またはコンピュータ可読のプログラムコードが組み入れられる。本明細書のコンテキストでは、コンピュータによって使用可能な、またはコンピュータ可読の媒体は、命令実行システム、装置若しくはデバイスによって、またはそれらとともに使用されるプログラムを、収録する、記憶する、通信する、伝搬する、または搬送することのできる、任意の媒体とすることができる。
【００９３】
本発明は、上記実施形態に限らず種々の変形が可能である。
上記実施形態において、図３に示すサービス提供情報管理ＤＢ３ａ及び図４に示すデータテーブルは、割当継続期間の欄を有していないが、本発明はこれに限られない。図３に示すサービス提供情報管理ＤＢ３ａ及び図４に示すデータテーブルは、割当継続期間の欄を有していてももちろんよい。
上記実施例において、図８に示すサービス提供情報管理ＤＢ３ａ及び図９に示すデータテーブルは、割当継続期間の欄を有しているが、本発明はこれに限られない。図８に示すサービス提供情報管理ＤＢ３ａ及び図９に示すデータテーブルは、割当継続期間の欄を有していなくてももちろんよい。
【００９４】
上記実施例による通信システム１１は、中継装置としてのＧＭＬＣ１３の要求に基づいて、割当継続期間の経過後に別のサーバ識別子を割り当てるように構成されているが、本発明はこれに限られない。例えば、通信システム１１は、ＤＮＳサーバ１５ａが割当継続期間を経過したと判断したら、自律的に別のサーバ識別子に割り当てる（例えば、割り当て前の元のサーバ識別子に戻す）ように構成されていてもよい。
また、割当経過期間を用いずに、別の識別子を割り当てるために、通信システム１１は、ＧＭＬＣ１３が測位結果通知を受け取り（図１１のステップＳ２０）、ＳＵＰＬ測位処理が終了したと判断したタイミングでＧＷ装置１５に別のサーバ識別子の割り当て要求（例えば、割り当て前の元のサーバ識別子に戻す）を実行するように構成されていてもよい。
【００９５】
図３及び図８に示すサービス提供情報管理ＤＢ３ａには、契約状態などの情報が格納される「ユーザ条件」欄や利用中断中や輻輳中などの情報が格納される「ユーザ状況」欄が設けられていてもよい。当該欄を設けることにより、中継装置、ＤＮＳサーバ及びそれらを備えた通信システムは、ユーザ条件やユーザ状況に応じて、通信端末装置をＳＬＰなどのサービス提供サーバに選択的に振り分けることができる。
本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【符号の説明】
【００９６】
１、１１  通信システム
３  中継装置
３ａ  サービス提供サーバ情報管理ＤＢ
３ｂ  サービス要求受付部
３ｃ  サービス提供サーバ情報取得部
３ｄ  サーバ識別子割当要求部
５、１５ａ  ＤＮＳサーバ
５ａ  サーバ識別子割当要求受付部
５ｂ  サーバ識別子割当部
５ｃ  サーバ識別子送信部
５ｄ  データテーブル格納ＤＢ
７  通信端末装置
９  通信ネットワーク
１３  ＧＭＬＣ
１５  ＧＷ装置
１５ｂ  ＲＡＤＩＵＳサーバ
１７  ＥＳＰ−ＧＷ
１９  ｅＮｏｄｅＢ
２１  ＨＳＳ
２３、２３ａ、２３ｂ、２３ｃ  ＳＬＰ
２５  ＬＣＳ−Ｃｌｉｅｎｔ
【図１】
2014241562.tif 000003
【図２】
2014241562.tif 000004
【図３】
2014241562.tif 000005
【図４】
2014241562.tif 000006
【図５】
2014241562.tif 000007
【図６】
2014241562.tif 000008
【図７】
2014241562.tif 000009
【図８】
2014241562.tif 000010
【図９】
2014241562.tif 000011
【図１０】
2014241562.tif 000012
【図１１】
2014241562.tif 000013